(57)【特許請求の範囲】
【請求項１】
第１セットのサブフレームについて実行される１つ又はそれ以上の第１の測定及び第２セットのサブフレームについて実行される１つ又はそれ以上の第２の測定を表示する測定構成情報であって、前記第１セットのサブフレームはマルチキャスト・ブロードキャスト・モバイル・サービスに関連付けられ、前記第２セットのサブフレームは非マルチキャスト・ブロードキャスト・モバイル・サービスに関連付けられる、前記測定構成情報を、ユーザ機器によって受信することと；
前記受信された測定構成情報に従って、１つ又はそれ以上の測定を実行することと；
前記１つ又はそれ以上の第２の測定の１つ又はそれ以上の第２の測定結果で補完された前記１つ又はそれ以上の第１の測定の１つ又はそれ以上の第１の測定結果を報告することと；
を含む方法。
【請求項２】
前記１つ又はそれ以上の第１の測定結果は非連続的である、請求項１に記載の方法。
【請求項３】
前記１つ又はそれ以上の第１の測定結果の中の１つ又はそれ以上のギャップが、前記１つ又はそれ以上の第２の測定結果で埋められる、請求項１に記載の方法。
【請求項４】
前記１つ又はそれ以上の第１の測定結果は、前記１つ又はそれ以上の第２の測定結果と一緒に報告される、請求項１に記載の方法。
【請求項５】
前記１つ又はそれ以上の第１の測定は、マルチキャスト・ブロードキャスト・モバイル・サービス・サブフレームについて実行される、請求項１に記載の方法。
【請求項６】
前記１つ又はそれ以上の第１の測定は、前記マルチキャスト・ブロードキャスト・モバイル・サービス・サブフレームの基準信号から実行される、請求項５に記載の方法。
【請求項７】
前記１つ又はそれ以上の第２の測定は、無線リソース管理目的のために実行される、請求項１に記載の方法。
【請求項８】
前記１つ又はそれ以上の第２の測定は、接続状態モビリティ測定又はアイドル状態モビリティ測定のうちの少なくとも１つを含む、請求項７に記載の方法。
【請求項９】
前記１つ又はそれ以上の第２の測定は、共通基準信号から実行される、請求項７又は８に記載の方法。
【請求項１０】
前記１つ又はそれ以上の測定は、アイドル状態又は接続状態において実行される、請求項１に記載の方法。
【請求項１１】
前記１つ又はそれ以上の第２の測定結果は、複数のセルに関する結果を含む、請求項１に記載の方法。
【請求項１２】
セル結果はセル識別に関連付けられる、請求項１１に記載の方法。
【請求項１３】
前記１つ又はそれ以上の第２の測定結果は、マルチキャスト・ブロードキャスト単一周波数ネットワーク搬送波の周波数と同じ周波数上のセルに関して報告される、請求項１に記載の方法。
【請求項１４】
前記１つ又はそれ以上の第２の測定結果は、マルチキャスト・ブロードキャスト単一周波数ネットワーク搬送波の周波数と異なる周波数上のセルに関して報告される、請求項１に記載の方法。
【請求項１５】
前記１つ又はそれ以上の第１の測定結果は、基準信号受信電力測定、基準信号受信品質測定、受信信号強度インジケータ測定、又はブロック誤り率測定のうちの少なくとも１つを含む、請求項１に記載の方法。
【請求項１６】
前記１つ又はそれ以上の第２の測定結果は、基準信号受信電力測定、基準信号受信品質測定、又は受信信号強度インジケータ測定のうちの少なくとも１つを含む、請求項１に記載の方法。
【請求項１７】
処理手段及び記憶手段を備える装置であって、前記記憶手段はプログラム命令を格納し、前記プログラム命令は、前記処理手段に実行されると、前記装置に、請求項１から１６のいずれかに記載の方法を遂行させるように構成される、装置。
【請求項１８】
装置の処理手段に実行されると、前記装置に、請求項１から１６のいずれかに記載の方法を遂行させるように構成されるプログラム命令を備える、コンピュータプログラム。
【請求項１９】
装置であって、
第１セットのサブフレームについて実行される１つ又はそれ以上の第１の測定及び第２セットのサブフレームについて実行される１つ又はそれ以上の第２の測定を表示する測定構成情報であって、前記第１セットのサブフレームはマルチキャスト・ブロードキャスト・モバイル・サービスに関連付けられ、前記第２セットのサブフレームは非マルチキャスト・ブロードキャスト・モバイル・サービスに関連付けられる、前記測定構成情報を、前記装置によって受信する手段と；
前記受信された測定構成情報に従って、１つ又はそれ以上の測定を実行する手段と；
前記１つ又はそれ以上の第２の測定の１つ又はそれ以上の第２の測定結果で補完された前記１つ又はそれ以上の第１の測定の１つ又はそれ以上の第１の測定結果を報告する手段と；
を備える装置。
【請求項２０】
第１セットのサブフレームについて実行される１つ又はそれ以上の第１の測定及び第２セットのサブフレームについて実行される１つ又はそれ以上の第２の測定を表示する測定構成情報であって、前記第１セットのサブフレームはマルチキャスト・ブロードキャスト・モバイル・サービスに関連付けられ、前記第２セットのサブフレームは非マルチキャスト・ブロードキャスト・モバイル・サービスに関連付けられる、前記測定構成情報を、ネットワーク・ノードによって送信することと；
前記測定構成情報に応じて、前記１つ又はそれ以上の第２の測定の１つ又はそれ以上の第２の測定結果で補完された前記１つ又はそれ以上の第１の測定の１つ又はそれ以上の第１の測定結果を含む１つ又はそれ以上の報告を受信することと；
を含む方法。
【請求項２１】
前記１つ又はそれ以上の第１の測定結果は、前記１つ又はそれ以上の第２の測定結果と一緒に報告される、請求項２０に記載の方法。
【請求項２２】
前記１つ又はそれ以上の第１の測定は、マルチキャスト・ブロードキャスト・モバイル・サービス・サブフレームについて実行される、請求項２０に記載の方法。
【請求項２３】
前記１つ又はそれ以上の第２の測定は、無線リソース管理目的のために実行される、請求項２０に記載の方法。
【請求項２４】
受信された１つ又はそれ以上の報告に基づいて、マルチキャスト・ブロードキャスト単一周波数ネットワークの少なくとも変調及び符号化方式を調整することをさらに含む、請求項２０に記載の方法。
【請求項２５】
処理手段及び記憶手段を備える装置であって、前記記憶手段はプログラム命令を格納し、前記プログラム命令は、前記処理手段に実行されると、前記装置に、請求項２０から２４のいずれかに記載の方法を遂行させるように構成される、装置。
【請求項２６】
ネットワーク・ノードとして構成される、請求項２５に記載の装置。
【請求項２７】
装置の処理手段に実行されると、前記装置に、請求項２０から２４のいずれかに記載の方法を遂行させるように構成されるプログラム命令を備える、コンピュータプログラム。
【請求項２８】
装置であって、
第１セットのサブフレームについて実行される１つ又はそれ以上の第１の測定及び第２セットのサブフレームについて実行される１つ又はそれ以上の第２の測定を表示する測定構成情報であって、前記第１セットのサブフレームはマルチキャスト・ブロードキャスト・モバイル・サービスに関連付けられ、前記第２セットのサブフレームは非マルチキャスト・ブロードキャスト・モバイル・サービスに関連付けられる、前記測定構成情報を、前記装置によって送信する手段と；
前記測定構成情報に応じて、前記１つ又はそれ以上の第２の測定の１つ又はそれ以上の第２の測定結果で補完された前記１つ又はそれ以上の第１の測定の１つ又はそれ以上の第１の測定結果を含む１つ又はそれ以上の報告を、受信する手段と；
を備える装置。
【発明の詳細な説明】
【分野】
【０００１】
本明細書に記載の主題は、無線通信に関する。
【背景】
【０００２】
マルチメディア・ブロードキャスト・マルチキャスト・サービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅｓ）は、１つ又はそれ以上のセルラ基地局によるマルチキャスティング・サービス・ブロードキャストに関する。例えば、セルラ・ネットワークは、モバイル・テレビジョンその他任意のアプリケーションを１つ又はそれ以上のユーザ機器に、モバイル・テレビジョン・ブロードキャストその他任意のアプリケーションを、基地局が同一の周波数上で調和のとれた方法で送信する、マルチキャスト・ブロードキャスト単一周波数ネットワーク（ＭＢＳＦＮ：ｍｕｌｔｉｃａｓｔ  ｂｒｏａｄｃａｓｔ  ｓｉｎｇｌｅ−ｆｒｅｑｕｅｎｃｙ  ｎｅｔｗｏｒｋ）などを用いて提供することができる。
【摘要】
【０００３】
ＭＢＳＦＮ測定のための、方法及びコンピュータ・プログラム製品を含む装置が提供される。
【０００４】
幾つかの例示的な実施形態において、方法が提供される。この方法は、第１セットのサブフレームについて実行される１つ又はそれ以上の第１の測定及び第２セットのサブフレームについて実行される１つ又はそれ以上の第２の測定を表示する測定構成情報であって、第１セットのサブフレームはマルチキャスト・ブロードキャスト・モバイル・サービスに関連付けられ、第２セットのサブフレームは非マルチキャスト・ブロードキャスト・モバイル・サービスに関連付けられる、測定構成情報を、ユーザ機器によって受信することと、受信された測定構成情報に従って、１つ又はそれ以上の測定を実行することと、１つ又はそれ以上の第２の測定の１つ又はそれ以上の第２の測定結果で補完された１つ又はそれ以上の第１の測定の１つ又はそれ以上の第１の測定結果を報告することと、を含むことができる。
【０００５】
幾つかの変形物において、本明細書で開示する、以下の特徴を含む１つ又はそれ以上の特徴を、任意の実現可能な組合せで随意に含めることができる。１つ又はそれ以上の第１の測定結果は非連続的であり得る。１つ又はそれ以上の第１の測定結果における１つ又はそれ以上のギャップは、１つ又はそれ以上の第２の測定結果で埋めることができる。１つ又はそれ以上の第１の測定結果は、１つ又はそれ以上の第２の測定結果と一緒に報告することができる。１つ又はそれ以上の第１の測定は、マルチキャスト・ブロードキャスト・モバイル・サービス・サブフレームについて実行することができる。１つ又はそれ以上の第１の測定は、マルチキャスト・ブロードキャスト・モバイル・サービス・サブフレームの基準信号から実行することができる。１つ又はそれ以上の第２の測定は、無線リソース管理目的のために実行することができる。１つ又はそれ以上の第２の測定は、接続状態モビリティ測定又はアイドル状態モビリティ測定のうちの少なくとも１つを含むことができる。１つ又はそれ以上の第２の測定は、共通基準信号から実行することができる。１つ又はそれ以上の測定は、アイドル状態又は接続状態において実行することができる。１つ又はそれ以上の第２の測定結果は、複数のセルに関する結果を含むことができる。セルの結果は、セルの識別に関連付けることができる。１つ又はそれ以上の第２の測定結果は、マルチキャスト・ブロードキャスト単一周波数ネットワーク搬送波の周波数と同じ周波数上のセルに関して報告することができる。１つ又はそれ以上の第２の測定結果は、マルチキャスト・ブロードキャスト単一周波数ネットワーク搬送波の周波数と異なる周波数上のセルに関して報告することができる。１つ又はそれ以上の第１の測定結果は、基準信号受信電力測定、基準信号受信品質測定、受信信号強度インジケータ測定、又はブロック誤り率測定のうちの少なくとも１つを含むことができる。１つ又はそれ以上の第２の測定結果は、基準信号受信電力測定、基準信号受信品質測定、又は受信信号強度インジケータ測定のうちの少なくとも１つを含むことができる。
【０００６】
幾つかの他の例示的な実施形態において、方法が提供される。この方法は、第１セットのサブフレームについて実行される１つ又はそれ以上の第１の測定及び第２セットのサブフレームについて実行される１つ又はそれ以上の第２の測定を表示する測定構成情報であって、第１セットのサブフレームはマルチキャスト・ブロードキャスト・モバイル・サービスに関連付けられ、第２セットのサブフレームは非マルチキャスト・ブロードキャスト・モバイル・サービスに関連付けられる、測定構成情報を、ネットワーク・ノードによって送信することと、測定構成情報に応じて、１つ又はそれ以上の第２の測定の１つ又はそれ以上の第２の測定結果で補完された１つ又はそれ以上の第１の測定の１つ又はそれ以上の第１の測定結果を含む１つ又はそれ以上の報告を受信することと、を含むことができる。
【０００７】
幾つかの変形物において、本明細書で開示する、以下の特徴を含む１つ又はそれ以上の特徴を、任意の実現可能な組合せで随意に含めることができる。１つ又はそれ以上の第１の測定結果は、１つ又はそれ以上の第２の測定結果と一緒に報告することができる。１つ又はそれ以上の第１の測定は、マルチキャスト・ブロードキャスト・モバイル・サービス・サブフレームについて実行することができる。１つ又はそれ以上の第２の測定は、無線リソース管理目的のために実行することができる。本方法は、受信された１つ又はそれ以上の報告に基づいて、マルチキャスト・ブロードキャスト単一周波数ネットワークの少なくとも変調及び符号化方式を調整することをさらに含むことができる。
【０００８】
上記の態様及び特徴は、所望の構成に応じて、システム、装置、方法、及び／又は物品において実装することができる。本明細書に記載の主題の１つ又はそれ以上の変形物の詳細が、添付の図面及び以下の説明において説明される。本明細書に記載の主題の特徴及び利点が、説明及び図面、並びに特許請求の範囲から明白となるであろう。
【図面の簡単な説明】
【０００９】
図面には以下を示す。
【００１０】
【図１】幾つかの例示的な実施形態による、非ＭＢＳＦＮサブフレーム及びＭＢＳＦＮサブフレームについての測定を含むマルチキャスト・ブロードキャスト単一周波数ネットワーク（ＭＢＳＦＮ）測定のために構成されたシステムの一例を示す。
【００１１】
【図２】幾つかの例示的な実施形態による、マルチキャスト・ブロードキャスト単一周波数ネットワーク測定のためのプロセスの一例を示す。
【００１２】
【図３】幾つかの例示的な実施形態による、ユーザ機器の一例を示す。
【００１３】
【図４】幾つかの例示的な実施形態による、基地局などのネットワーク・ノードの一例を示す。
【００１４】
図面中、同じ又は類似の項目を指すのに類似のラベルが用いられている。
【詳細説明】
【００１５】
マルチメディア・ブロードキャスト・マルチキャスト・サービス（ＭＢＭＳ）においては、１つ又はそれ以上のユーザ機器を、マルチキャスト・ブロードキャスト単一周波数ネットワーク（ＭＢＳＦＮ）の測定を実行してそれらの測定をネットワークに報告するように構成することができる。測定の種類、報告、及び他の態様は、ネットワークによって構成することができ、及び／又は標準によって指定することができる。例えば、ＵＥは、ＭＢＭＳによってカバーされる特定の地理的位置に関するＭＢＳＦＮ測定を実行することができる。さらに、ＭＢＳＦＮ測定は、ＭＢＳＦＮ信号受信の確認をサポートすることができ、計画及び再構成（例えば、ＭＢＳＦＮ範囲及び／又はＭＢＭＳ動作パラメータの）をサポートすることができ、及び／又は、例えば、ドライブ・テストの最小化（ＭＤＴ：Ｍｉｎｉｍｉｚａｔｉｏｎ  ｏｆ  Ｄｒｉｖｅ  Ｔｅｓｔ）機能を用いて収集されるＭＢＳＦＮ無線受信測定（単数又は複数）をサポートすることができる。
【００１６】
ＭＢＳＦＮは、上記のように、標準、及び／又はネットワークによって信号で伝えられた若しくはブロードキャストされた構成情報に基づいて構成することができる。例えば、ＭＢＳＦＮ測定は、所与のＭＢＳＦＮカバレッジ・エリアごとの、基準信号受信電力（ＲＳＲＰ：ｒｅｆｅｒｅｎｃｅ  ｓｉｇｎａｌ  ｒｅｃｅｉｖｅｄ  ｐｏｗｅｒ）及び基準信号受信品質（ＲＳＲＱ：ｒｅｆｅｒｅｎｃｅ  ｓｉｇｎａｌ  ｒｅｃｅｉｖｅｄ  ｑｕａｌｉｔｙ）の測定を含むことができる。さらに、これらの測定は、例えば、ＭＢＳＦＮ基準信号（ＲＳ：ｒｅｆｅｒｅｎｃｅ  ｓｉｇｎａｌｓ）を搬送するサブフレーム内の、それらの直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルのみにわたって平均された受信信号強度インジケータ（ＲＳＳＩ：ｒｅｃｅｉｖｅｄ  ｓｉｇｎａｌ  ｓｔｒｅｎｇｔｈ  ｉｎｄｉｃａｔｏｒ）測定に基づくことができる。さらに、測定は、ＭＢＳＦＮ  ＭＣＳ（ｍｏｄｕｌａｔｉｏｎ  ａｎｄ  ｃｏｄｉｎｇ  ｓｃｈｅｍｅ、変調及び符号化方式）ごとの、及び／又はＭＢＳＦＮエリアごとのマルチキャスト・チャネル（ＭＣＨ：ｍｕｌｔｉｃａｓｔ  ｃｈａｎｎｅｌ）ブロック誤り率（ＢＬＥＲ：ｂｌｏｃｋ  ｅｒｒｏｒ  ｒａｔｅ）測定を含むことができる。さらに、これらの測定は、ＵＥが物理マルチキャスト・チャネル（ＰＭＣＨ：ｐｈｙｓｉｃａｌ  ｍｕｌｔｉｃａｓｔ  ｃｈａｎｎｅｌ）を復号するサブフレーム及び搬送波においてのみ行うことができる。さらに、ネットワークは、測定構成（報告構成を含む）を提供することができ、この構成はＭＤＴ（ドライブ・テストの最小化）機能によって提供することができる。この場合、ＭＢＳＦＮ測定は、ネットワークの操作、管理及びメンテナンス（ＯＡＭ：ｏｐｅｒａｔｉｏｎ，  ａｄｍｉｎｉｓｔｒａｔｉｏｎ  ａｎｄ  ｍａｉｎｔｅｎａｎｃｅ）機能によって開始することができ、その場合、トレース機能がＭＢＳＦＮ測定をアクティブにし、報告されたデータを収集する。ＵＥが、ＭＢＳＦＮ測定によって構成されるとき、ＵＥはまた、特定の所与の性能要件によるＭＢＳＦＮ測定を実行することができ、その例は、３ＧＰＰ  ＴＳ  ３６．１３３、発展型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）；無線リソース管理のサポートの要件、リリース１２、に記載されている。さらに、ＵＥは、ＭＢＭＳサービス受信の間、及び、特に、例えば、無線リソース制御（ＲＲＣ：ｒａｄｉｏ  ｒｅｓｏｕｒｃｅ  ｃｏｎｔｒｏｌ）接続モード及び／又はアイドル・モードの間に、ＭＢＳＦＮ測定を実行するように構成することができる。さらに、ＭＤＴの場合、２つのＭＢＳＦＮ測定モードを、ＲＲＣ接続モード及びアイドル・モードに対して、別々に構成／指定することができる。
【００１７】
ＭＢＳＦＮ測定の主要な用途は、ＭＢＳＦＮカバレッジ及び特定のサービス品質の達成の確認であるが、モバイル・ネットワーク・オペレータは、ＵＥが報告したＭＢＳＦＮ測定を、ＭＢＳＦＮ展開に対する調整／変更（例えば、ＭＢＳＦＮのセル・カバレッジ・エリアに対する調整）、ＭＢＳＦＮ  ＭＣＳに対する調整／変更（これは、準静的な方式で構成することができるが、所望のカバレッジ及び目標とするサービス品質に適合するように変更することができる）を可能にもするため、並びに／又は、他の理由及び／若しくはさらなる調整のために、使用することができる。これらのパラメータは、例えば、ＭＢＳＦＮエリアごとに調整することができる。さらに、これらの調整は、１つ又はそれ以上のＵＥによって報告されたＭＢＳＦＮ測定情報によって容易にすることができる。
【００１８】
しかし、ＭＢＭＳのスケジューリングは非常に不規則であり得る。例えば、ＭＢＳＦＮ測定が、ＵＥによって復号されているＭＢＭＳサブフレーム（ＵＥが関心をもつＭＢＭＳサービス受信に関する関連情報を含む）内で得られるＭＢＭＳ基準シンボル（ＲＳ）のみを使用する場合、マルチキャスト制御チャネル（ＭＣＣＨ：ｍｕｌｔｉｃａｓｔ  ｃｏｎｔｒｏｌ  ｃｈａｎｎｅｌ）及びマルチキャスト・トランスポート・チャネル（ＭＴＣＨ：ｍｕｌｔｉｃａｓｔ  ｔｒａｎｓｐｏｒｔ  ｃｈａｎｎｅｌ）の両方の復号化は、ＭＢＭＳ受信状態及びＭＢＭＳデータのスケジューリングに基づいて時間的に変化し得るか又は不規則になり得る。実際に、ＭＢＭＳサービスは、かなり一定のストリーミング・データ・フローから断続的なデータ・フローまでの間で、例えば、規則的なトラフィック・パターンがなく断続的になり得るＭＢＭＳマルチキャスティングを使用するグループ通信における通話サービスのように、変化する可能性がある。これらの不規則性は、測定の予測できない報告を生じる可能性があり、従って、ＵＥにおいて測定がアクティブにされ収集され、ＵＥがＭＢＳＦＮ測定結果を報告できる場合でさえも、関連する測定情報が失われる可能性がある（変化する／不規則なＭＢＭＳ接続性を別にして）。
【００１９】
一部のＭＢＳＦＮ測定報告は、ＭＢＭＳサブフレームからの測定のみに基づく場合がある。しかし、ＭＢＳＦＮ報告情報は、例えば、幾つかのＭＢＭＳサービスの不規則性に関して上述したように、ＭＢＳＦＮ展開における起こり得る問題に関する限られた情報を有する可能性がある。それゆえに、ＭＢＳＦＮサブフレームのみについてのＭＢＳＦＮ測定結果は、ＭＢＭＳサブフレーム上で見られる、起こり得る干渉信号の根本的原因を明らかにしない可能性がある。さらに説明すると、ＭＢＳＦＮサブフレームのみについての限定されたＭＢＳＦＮ測定は、関連するセルがＭＢＳＦＮグループから抜けていて、どの抜けたセルをグループに加える必要があるかを判断するのが困難となるシナリオにつながる可能性がある。
【００２０】
幾つかの例示的な実施形態において、ＭＢＳＦＮ測定は、１つ又はそれ以上のＭＢＭＳサブフレームについて（例えば、１つ又はそれ以上のＭＢＭＳサブフレームの１つ又はそれ以上の基準シンボルＲＳについての測定）、及び１つ又はそれ以上の非ＭＢＭＳサブフレームについて実行することができる。例えば、ＵＥは、１つ又はそれ以上のＭＢＭＳサブフレームに含まれる１つ又はそれ以上の基準シンボルＲＳについての測定を実行することができ、さらに、非ＭＢＭＳサブフレーム又はセルの共通基準信号ＣＲＳ（ｃｏｍｍｏｎ  ｒｅｆｅｒｅｎｃｅ  ｓｉｇｎａｌ）についての無線リソース管理測定を行うことができる。両方の種類の測定をネットワーク（例えば、基地局、ネットワーク管理システム、及び／又はＭＤＴ機能）に報告し、ネットワークが、ＭＢＭＳを制御及びさもなければ管理することを可能にすることができる。
【００２１】
幾つかの例示的な実施形態において、ＵＥは、ネットワークに対して、ＭＢＭＳサブフレーム及び非ＭＢＭＳサブフレームについて実行したＭＢＳＦＮ測定を、設定された間隔で及び／又は設定された前処理（フィルタリング）により報告することができる。ＵＥがアイドル・モードにある場合、ＵＥは、ＭＢＭＳサブフレーム及び非ＭＢＭＳサブフレームの両方からの測定をログ記録し、それらの測定結果を報告することができる。さらに、ＵＥは、幾つかの例示的な実施形態において、両方の種類のＭＢＳＦＮ測定結果（即ち、ＭＢＭＳサブフレーム及び非ＭＢＭＳサブフレームの両方に関する測定結果）を処理することができ、これらの結果を、ネットワークに対して、ＭＢＳＦＮ測定及び／又は報告構成に従って報告することができる。さらに、ＵＥは、ＭＢＳＦＮ測定構成と一緒に受信された構成によりＵＥによって収集された他のセル測定結果を報告することができる。
【００２２】
幾つかの例示的な実施形態において、ＵＥは、１つ又はそれ以上のＭＢＭＳサブフレーム上に復号されるデータが存在しないとき、ＭＢＳＦＮ復号化の中断の間に関わらず、サブフレーム又はセル（例えば、セルのＣＲＳ）の非ＭＢＭＳ測定を行うことができる。
【００２３】
幾つかの例示的な実施形態において、非ＭＢＭＳセル測定は、測定されるＭＢＳＦＮが伝送される搬送波について、異周波数測定が可能（又は不可能）であっても、行うことができる。
【００２４】
幾つかの例示的な実施形態において、非ＭＢＭＳセル測定結果に、対応するセル識別子（ＩＤ：ｉｄｅｎｔｉｆｉｅｒ）を付随させて、異なるセルから送信された信号を区別できるようにすることができる。
【００２５】
ＵＥが報告する測定結果は、上記のように、ネットワークが、幾つかのＭＢＳＦＮ測定結果の不規則性に起因して生じ得る測定報告のギャップを埋めることを可能にするように、及び、それゆえに、ネットワークがＭＢＭＳの性能を判断又は推定することを可能にするように、非ＭＢＭＳサブフレーム／セル測定を含むことができる。さらに、測定結果は、ネットワークが、幾つかの（全てではなくとも）アクティブにされたＭＤＴ測定から、ＭＤＴ測定を開始したネットワーク・ノードが知らない可能性があるＭＢＭＳサービスの性質に関わらず、関連する情報を収集できるように、付加的な情報を含むことができる。
【００２６】
幾つかの例示的な実施形態において、ＵＥはＭＢＳＦＮ測定を行い、例えば、ＲＳＲＰ（又はＲＳＲＱ）を、非ＭＢＳＦＮサブフレーム／セルを測定するときの絶対値又は相対値として報告することができる。絶対値の場合、結果をデシベル・ミリワット（ｄＢｍ：Ｄｅｃｉｂｅｌ−ｍｉｌｌｉｗａｔｔｓ）の単位でネットワークに報告することができるが、他のタイプの値を報告することもできる。相対値の場合、別の信号、例えば、隣接するセル（例えば、より強力なセル）に相対的な、又は、測定されたＭＢＭＳサブフレームのＲＳＲＰ（複数のセルからの信号を含み得る）に相対的なＲＳＲＰ（又はＲＳＲＱ）を報告することができる。
【００２７】
ＭＢＳＦＮ測定及び／又は報告のためのＵＥの構成は、様々な仕方で実行することができる。例えば、ネットワークがＵＥに、非ＭＢＭＳセル／サブフレーム及びＭＢＳＦＮサブフレームの両方の測定及び／又は報告構成情報を提供することができる。さらに、このＭＢＳＦＮ測定構成は、共通ＲＲＣＣｏｎｎｅｃｔｉｏｎＲｅｃｏｎｆｉｇｕｒａｔｉｏｎメッセージとして構成することができ、このメッセージは、行われる測定を定める測定対象の種類、測定量、及び／又は測定／報告構成を表示する。ＭＢＳＦＮ測定構成は、幾つかの例示的な実施形態において、無線リソース管理（ＲＲＭ：ｒａｄｉｏ  ｒｅｓｏｕｒｃｅ  ｍａｎａｇｅｍｅｎｔ）測定に使用されるパラメータの、例えば、レイヤ３フィルタリング又は前処理などの、フィルタリング情報をさらに含むことができる。
【００２８】
しかし、幾つかの例示的な実施形態において、ネットワークはＵＥに、非ＭＢＭＳセル／サブフレーム及びＭＢＳＦＮサブフレームに関する測定及び／又は報告構成情報を、分離したメッセージにおいて提供することができる。さらに、非ＭＢＭＳセル／サブフレームに関するこの分離したメッセージは、ネットワークによって求められるときにだけ送信することができる。さらに、この分離したメッセージはまた、例えば、ＲＲＣＣｏｎｎｅｃｔｉｏｎＲｅｃｏｎｆｉｇｕｒａｔｉｏｎメッセージとして構造化することができるが、他の形式も同様に用いることができる。
【００２９】
幾つかの例示的な実施形態において、測定構成情報は、セル測定の周期性を表示することができる。測定間隔は、想定されるＭＢＳＦＮ測定構成／周期性に関連しても関連しなくてもよい。さらに、セル測定処理は、固定した又は標準的な構成を有することができるが、関連するパラメータを、例えば、ブロードキャスト情報を介して提供することもできる。
【００３０】
さらに、セル測定の構成は、ＲＲＣ接続モード中の専用シグナリング、ＭＣＣＨ等を使用するマルチキャスト・シグナリング、１つ又はそれ以上のシステム情報ブロック（ＳＩＢ：ｓｙｓｔｅｍ  ｉｎｆｏｒｍａｔｉｏｎ  ｂｌｏｃｋ）上のブロードキャスト・シグナリングのいずれかとして行うことができる。代替的に又は付加的に、セル測定構成（又はその部分）は、固定することができ、及び／又は１つ又はそれ以上の標準で指定することができる。例えば、モビリティ制御のための通常の測定構成の部分として使用されるＲＲＭ測定のための測定構成は、非ＭＢＭＳセル／サブフレームの測定及び／又は報告構成を信号で伝えるために用いるように拡張することができる。
【００３１】
ＭＢＳＦＮ測定に関する付加的な例を提供する前に、下記により、幾つかの例示的な実施形態によるシステムの一例の説明を提供する。
【００３２】
図１は、コア・ネットワーク１９０及びドライブ・テストの最小化機能／ノードを含むシステム１００であって、それらの両方を、１つ又はそれ以上のバックホール・リンク／ネットワークを介して、セル１１２Ａ〜Ｃをサーブする基地局１１０Ａ〜Ｃ等の複数の基地局、及び、関連するユーザ機器１１４Ａ〜Ｃと接続することができる。図１は特定の数量及び構成のデバイスを示すが、他の数量及び構成も同様に実装することができる。例えば、他の数量及び構成の基地局／アクセス・ポイント、セル、及びユーザ機器を同様に実装することができる。
【００３３】
幾つかの例示的な実施形態において、ユーザ機器、例えば１１４Ａ〜Ｃは、モバイル・デバイス及び／又は固定デバイスとして実装することができる。ユーザ機器は、例えば、無線デバイス、モバイルステーション、モバイルユニット、加入者ステーション、無線端末、タブレット、スマートフォンなどと呼ばれることがある。幾つかの例示的な実施形態において、ユーザ機器１１４は、複数の無線アクセス技術を用いて動作するように構成されたマルチモード・ユーザ・デバイスとして実装することができるが、シングルモード・デバイスを使用することもできる。例えば、ユーザ機器は、ロング・ターム・エボリューション（ＬＴＥ：Ｌｏｎｇ  Ｔｅｒｍ  Ｅｖｏｌｕｔｉｏｎ）、無線ローカル・エリア・ネットワーク（ＷＬＡＮ：ｗｉｒｅｌｅｓｓ  ｌｏｃａｌ  ａｒｅａ  ｎｅｔｗｏｒｋ）技術、例えば８０２．１１ＷｉＦｉなど、Ｂｌｕｅｔｏｏｔｈ（登録商標）、省電力Ｂｌｕｅｔｏｏｔｈ（ＢＴ−ＬＥ：Ｂｌｕｅｔｏｏｔｈ  ｌｏｗ  ｅｎｅｒｇｙ）、近距離無線通信（ＮＦＣ：ｎｅａｒ  ｆｉｅｌｄ  ｃｏｍｍｕｎｉｃａｔｉｏｎｓ）、その他任意の無線アクセス技術、のうちの１つ又はそれ以上を含む複数の無線アクセス技術を用いて動作するように構成することができる。ユーザ機器は、セル又は複数のセルのカバレッジ・エリアの中に位置することができる。ユーザ機器はまた、基地局及びＭＢＳＦＮへのポイント・ツー・ポイント・リンク（例えば、１つ又はそれ以上の基地局からのマルチキャスト又はブロードキャストを介しての）をサポートすることができる。
【００３４】
幾つかの実施形態において、基地局、例えば基地局１１０Ａ〜Ｃは、発展型ノードＢ（ｅＮＢ：ｅｖｏｌｖｅｄ  Ｎｏｄｅ  Ｂ）タイプの基地局として構成することができるが、他のタイプの基地局及び無線アクセス・ポイントを同様に使用することもできる。ｅＮＢタイプの基地局の場合、基地局は、ロング・ターム・エボリューション（ＬＴＥ）標準、例えば、３ＧＰＰ  ＴＳ  ３６．２０１、「発展型ユニバーサル地上無線アクセス（Ｅ−ＵＴＲＡ）、ロング・ターム・エボリューション（ＬＴＥ）物理層、概要（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｌｏｎｇ  Ｔｅｒｍ  Ｅｖｏｌｕｔｉｏｎ  （ＬＴＥ）  ｐｈｙｓｉｃａｌ  ｌａｙｅｒ；  Ｇｅｎｅｒａｌ  ｄｅｓｃｒｉｐｔｉｏｎ）」、３ＧＰＰ  ＴＳ  ３６．２１１、「発展型ユニバーサル地上無線アクセス（Ｅ−ＵＴＲＡ）、物理チャネル及びモジュレーション（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｃｈａｎｎｅｌｓ  ａｎｄ  ｍｏｄｕｌａｔｉｏｎ）」、３ＧＰＰ  ＴＳ  ３６．２１２、「発展型ユニバーサル地上無線アクセス（Ｅ−ＵＴＲＡ）、マルチプレクシング及びチャネル符号化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｍｕｌｔｉｐｌｅｘｉｎｇ  ａｎｄ  ｃｈａｎｎｅｌ  ｃｏｄｉｎｇ）」、３ＧＰＰ  ＴＳ  ３６．２１３、「発展型ユニバーサル地上無線アクセス（Ｅ−ＵＴＲＡ）、物理層プロシージャ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ）」、３ＧＰＰ  ＴＳ  ３６．２１４、「発展型ユニバーサル地上無線アクセス（Ｅ−ＵＴＲＡ）、物理層―測定（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  −  Ｍｅａｓｕｒｅｍｅｎｔｓ）」、などを含む標準、並びに、これら及び他の標準３ＧＰＰシリーズに対する後の任意の追加または改訂（総称してＬＴＥ標準と呼ぶ）に準拠して構成することができる。基地局はまた、ＷｉＦｉ（例えば、標準のＩＥＥＥ８０２．１１シリーズ）などのＷＬＡＮ技術、並びに、セルを供給することができる任意の他の無線アクセス技術を用いて、セルを供給するように構成することができる。図１の例において、基地局／アクセス・ポイント１１０Ｃは、ＷｉＦｉを用いて小さいセルを供給するように構成することができるが、任意の他の無線アクセス技術を同様に用いることができる。基地局は、コア・ネットワーク１９０を含む他のネットワーク及び／又はネットワーク・ノードへの有線及び／又は無線バックホール・リンクを有することができる。本明細書で説明する幾つかの例はＥ−ＵＴＲＡＮに関連するが、他のタイプのネットワーク、例えば、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ：ＵＭＴＳ地上無線アクセス・ネットワーク）、ＧＥＲＡＮ（ＧＳＭ  ＥＤＧＥ  Ｒａｄｉｏ  Ａｃｃｅ���ｓ  ｎｅｔｗｏｒｋ：ＧＳＭ  ＥＤＧＥ無線アクセス・ネットワーク）、ＷＣＤＭＡ（登録商標）、ＨＳＰＡ（Ｈｉｇｈ  Ｓｐｅｅｄ  Ｐａｃｋｅｔ  Ａｃｃｅｓｓ：高速パケット・アクセス）、及び／又は任意の他のタイプの無線ネットワークを使用することができる。さらに、基地局は、１つ又はそれ以上のユーザ機器１１４Ａ〜Ｃに対するＭＢＭＳ及び、それゆえに、ＭＢＳＦＮをサポートするように構成することができる。
【００３５】
図２は、幾つかの例示的な実施形態による、測定のための例示的なプロセス２００を示す。プロセス２００の説明はまた、図１を参照する。
【００３６】
２０２において、ユーザ機器１１４Ａは、幾つかの例示的な実施形態による、ＭＢＭＳに関する測定構成（報告構成を含むことができる）を受信することができる。例えば、測定構成は、１つ又はそれ以上のＭＢＭＳサブフレームについて実行されるＭＢＳＦＮ測定（例えば、ＵＥによって復号されている１つ又はそれ以上のＭＢＭＳサブフレームの１つ又はそれ以上の基準シンボルＲＳについての測定）及び１つ又はそれ以上の非ＭＢＭＳサブフレームについて実行されるＭＢＳＦＮ測定（例えば、所与のセルのＣＲＳの）のための測定構成を表示することができる。構成情報は、共通機構、例えば、上記のように同じメッセージ又は異なるメッセージを用いて提供することができる。さらに、構成情報は、例えば、専用シグナリング、マルチキャスト・シグナリング、ＳＩＢ上のブロードキャスト・シグナリングを用いて、ネットワークにより提供するができるが、幾つかの又は全ての測定構成は１つ以上の標準で固定、及び／又は、指定されている場合がある。さらに、測定構成は、ＯＡＭ及び／又はＭＤＴ機能に応じて送信することができ、その場合、トレース機能がＭＢＳＦＮ測定をアクティブにし、報告されるデータを収集する。
【００３７】
２０４において、ＵＥ１１４Ａは、幾つかの例示的な実施形態により、ＭＢＭＳをサポートして、１つ又はそれ以上の測定を実行することができる。例えば、ユーザ機器１１４Ａは１つ又はそれ以上のＭＢＳＦＮサブフレームを測定することができ、特に、復号されている１つ又はそれ以上のＭＢＳＦＮサブフレーム内のＲＳを測定することができる。これらの測定は、ＲＳＳＩ、ＲＳＲＱ、ＲＳＲＰ、及び任意の他のパラメータを決定するのに用いることができる。ユーザ機器はまた、ＭＢＭＳサブフレームからのブロック誤り率（ＢＬＥＲ）測定を実行することができる。さらに、ＵＥ１１４Ａは、１つ又はそれ以上の非ＭＢＳＦＮサブフレーム又はセルを測定することができる。例えば、ＵＥ１１４Ａは、非ＭＢＭＳセル又は搬送波に付随するＣＲＳ信号を測定することができる。これらの非ＭＢＭＳ測定はまた、ＲＳＳＩ、ＲＳＲＱ、ＲＳＲＰ、及び任意の他のパラメータを決定するのに用いることができる。
【００３８】
２０６において、ユーザ機器１１４Ａは、幾つかの例示的な実施形態により、非ＭＢＳＦＮセル／サブフレーム及び／又はＭＢＳＦＮサブフレームについてなされた測定を報告することができる。さらに、２０４においてなされた測定を別々に又は一緒に報告することができる。例えば、ＭＢＳＦＮサブフレームが使用できないとき、非ＭＢＳＦＮセル／サブフレームを、測定値が得られ且つネットワーク／基地局１１０Ｃへの接続が存在するときに、２０２の構成に従って報告することができる。
【００３９】
２０８において、ネットワークは、２０６において報告された情報に基づいて１つ又はそれ以上のＭＢＭＳ決定を行うことができる。例えば、ＵＥ１１４Ａ及び他のＵＥから報告された情報は、ネットワークが、ＭＢＳＦＮ展開、ＭＢＳＦＮ  ＭＣＳに対する調整／変更、及び／又は任意の他の調整／変更を行うことを可能にすることができる
【００４０】
図３は、幾つかの例示的な実施形態による、装置１０のブロック図を示す。装置１０（またはその一部）は、ユーザ機器、スマートフォン、コミュニケータ、マシン型通信デバイス、無線デバイス、ウェアラブル・デバイス、携帯電話、無線センサ／デバイス（例えば、自動車、車両、ロボット、人間などの分散型アーキテクチャの一部分である無線デバイス）をもたらすように構成することができる。
【００４１】
装置１０は、送信器１４及び受信器１６と通信する少なくとも１つのアンテナ１２を含むことができる。代替的に、送信アンテナと受信アンテナは別れていてもよい。装置１０はさらに、それぞれ、送信器に信号を供給し、受信器から信号を受け、装置の機能を制御するよう構成されたプロセッサ２０を含むことができる。プロセッサ２０は、送信器及び受信器へ電気配線を通じて制御信号を発することにより、送信器及び受信器の機能を制御するように構成することができる。同様に、プロセッサ２０は、ディスプレイ又はメモリなど装置１０の他の構成要素を、プロセッサ２０と他の構成要素とを接続する電気配線を通じて制御信号を発することにより、制御するように構成することができる。プロセッサ２０は、例えば、回路、少なくとも１つのプロセッサコア、デジタル信号プロセッサ（単数又は複数）を伴う１つ又はそれ以上のマイクロプロセッサ、デジタル信号プロセッサを伴わない１つ又はそれ以上のプロセッサ（単数又は複数）、１つ又はそれ以上のコプロセッサ、１つ又はそれ以上のマルチコア・プロセッサ、１つ又はそれ以上のコントローラ、処理回路、１つ又はそれ以上のコンピュータ、集積回路（例えば、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）など）を含む様々な他の処理要素、或はそれらの幾つかの組合せ、を含む様々な様式で具体化することができる。従って、図３には単一のプロセッサとして示すが、幾つかの例示的な実施形態において、プロセッサ２０は複数のプロセッサ又はプロセッサコアを備えることができる。
【００４２】
プロセッサ２０によって送受信される信号は、適用可能なセルラ・システムのエアー・インタフェース標準、及び／又は、例えば、電気電子技術者協会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１、８０２．１６などのＷｉ−Ｆｉ、無線ローカル・エリア・アクセス・ネットワーク（ＷＬＡＮ）技術を含むがそれらに限定されない任意の数の異なる有線又は無線ネットワーキング技術による、シグナリング情報を含むことができる。さらに、これらの信号は、音声データ、ユーザ生成データ、ユーザ要求データなどを含むことができる。
【００４３】
装置１０は、１つ又はそれ以上のエアー・インタフェース標準、通信プロトコル、変調形式、アクセス型などによって動作できるようにすることができる。例えば、装置１０及び／又はその内部のセルラ・モデムは、様々な第１世代（１Ｇ）通信プロトコル、第２世代（２Ｇ又は２．５Ｇ）通信プロトコル、第３世代（３Ｇ）通信プロトコル、第４世代（４Ｇ）通信プロトコル、インターネット・プロトコル・マルチメディア・サブシステム（ＩＭＳ：Ｉｎｔｅｒｎｅｔ  Ｐｒｏｔｏｃｏｌ  Ｍｕｌｔｉｍｅｄｉａ  Ｓｕｂｓｙｓｔｅｍ）通信プロトコル（例えば、セッション開始プロトコル（ＳＩＰ：ｓｅｓｓｉｏｎ  ｉｎｉｔｉａｔｉｏｎ  ｐｒｏｔｏｃｏｌ））などに準拠して動作できるようにすることができる。例えば、装置１０は、２Ｇ無線通信プロトコルＩＳ−１３６、時分割多重アクセスＴＤＭＡ（Ｔｉｍｅ  Ｄｉｖｉｓｉｏｎ  Ｍｕｌｔｉｐｌｅ  Ａｃｃｅｓｓ）、ＧＳＭ（登録商標）、ＩＳ−９５、符号分割多重アクセスＣＤＭＡ（Ｃｏｄｅ  Ｄｉｖｉｓｉｏｎ  Ｍｕｌｔｉｐｌｅ  Ａｃｃｅｓｓ）などに準拠して動作できるようにすることができる。さらに、例えば装置１０は、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  ＧＳＭ  Ｅｎｖｉｒｏｎｍｅｎｔ）などに準拠して動作できるようにすることができる。さらに、例えば装置１０は、３Ｇ無線通信プロトコル、例えば、ユニバーサル移動電気通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、符号分割多重アクセス２０００（ＣＤＭＡ２０００）、ＷＣＤＭＡ（登録商標）、時分割同期符号分割多重アクセス（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）などに準拠して動作できるようにすることができる。装置１０は、さらに、３．９Ｇ無線通信プロトコル、例えば、ロング・ターム・エボリューション（ＬＴＥ）、発展型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）などに準拠して動作できるようにすることができる。さらに、例えば装置１０は、４Ｇ無線通信プロトコル、例えば、ＬＴＥアドバンスト（Ａｄｖａｎｃｅｄ）型など、並びに後に開発され得る類似の無線通信プロトコルなどに準拠して動作できるようにすることができる。この装置はまた、基地局及びＭＢＳＦＮへのポイント・ツー・ポイント・リンク（例えば、１つ又はそれ以上の基地局からのマルチキャスト又はブロードキャストを介しての）をサポートするように構成することができる。
【００４４】
プロセッサ２０は、装置１０のオーディオ／ビデオ及び論理機能を実装するための回路を含むことができることを理解されたい。例えば、プロセッサ２０は、デジタル信号プロセッサ・デバイス、マイクロプロセッサ・デバイス、アナログ・デジタル変換器、デジタル・アナログ変換器などを備えることができる。装置１０の制御及び信号処理機能は、これらのデバイス間に、それらそれぞれの機能によって割当てることができる。プロセッサ２０は、さらに、内蔵音声符号器（ＶＣ：ｖｏｉｃｅ  ｃｏｄｅｒ）２０ａ、内蔵データ・モデム（ＤＭ：ｄａｔａ  ｍｏｄｅｍ）２０ｂなどを備えることができる。さらに、プロセッサ２０は、メモリ内に格納することができる１つ又はそれ以上のソフトウェア・プログラムを動作させる機能を含むことができる。一般に、プロセッサ２０及び格納されているソフトウェア命令は、装置１０に動作を実行させるように構成することができる。例えば、プロセッサ２０は、ウェブ・ブラウザなどの接続性プログラムを動作させることができるようにすることができる。接続性プログラムは、装置１０が、ロケーション・ベースのコンテンツなどのウェブ・コンテンツを、例えば、無線アプリケーション・プロトコルＷＡＰ（ｗｉｒｅｌｅｓｓ  ａｐｐｌｉｃａｔｉｏｎ  ｐｒｏｔｏｃｏｌ）、ハイパーテキスト転送プロトコルＨＴＴＰ（ｈｙｐｅｒｔｅｘｔ  ｔｒａｎｓｆｅｒ  ｐｒｏｔｏｃｏｌ）などのプロトコルに従って、送受信することを可能にする。
【００４５】
装置１０はまた、プロセッサ２０と動作可能に結合することができる、例えば、イヤホン又はスピーカ２４、リンガ２２、マイクロフォン２６、ディスプレイ２８、ユーザ入力インタフェースなどを含むユーザ・インタフェースを備えることができる。上記のディスプレイ２８は、タッチ・センサ式ディスプレイを含むことができ、その場合、ユーザは、選択を行う、値を入力するなどのためにタッチ及び／又はジェスチャをすることができる。プロセッサ２０はまた、例えば、スピーカ２４、リンガ２２、マイクロフォン２６、ディスプレイ２８などのユーザ・インタフェースの１つ又はそれ以上の要素の少なくとも幾つかの機能を制御するように構成されたユーザ・インタフェース回路を含むことができる。プロセッサ２０、及び／又はプロセッサ２０を備えたユーザ・インタフェース回路は、ユーザ・インタフェースの１つ又はそれ以上の要素の１つ又はそれ以上の機能を、コンピュータ・プログラム命令、例えば、揮発性メモリ４０、不揮発性メモリ４２などのプロセッサ２０がアクセス可能なメモリに格納されたソフトウェア及び／又はファームウェアを介して制御するように構成することができる。装置１０は、移動端末に関連する様々な回路、例えば、検出可能な出力として機械的振動をもたらすための回路に電力供給するためのバッテリを含むことができる。ユーザ入力インタフェースは、装置１０がデータを受け取ることを可能にするデバイス、例えば、キーパッド３０（これは、ディスプレイ２８上に示される仮想キーボード又は外部接続キーボードとすることができる）及び／又は他の入力デバイスを備えることができる。
【００４６】
図３に示すように、装置１０はまた、データを共有及び／又は取得するための１つ又はそれ以上の機構を含むことができる。例えば、装置１０は、短距離無線周波数（ＲＦ：ｒａｄｉｏ  ｆｒｅｑｕｅｎｃｙ）送受信器及び／又は質問器６４を含むことができ、それにより、データを、ＲＦ技術によって電子デバイスと共有することができ、及び／又は電子デバイスから取得することができる。装置１０は、他の短距離送受信器、例えば、赤外線（ＩＲ：ｉｎｆｒａｒｅｄ）送受信器６６、Ｂｌｕｅｔｏｏｔｈ（登録商標）無線技術を用いるＢｌｕｅｔｏｏｔｈ送受信器６８、無線ユニバーサル・シリアル・バス（ＵＳＢ：ｕｎｉｖｅｒｓａｌ  ｓｅｒｉａｌ  ｂｕｓ）送受信器７０、省電力Ｂｌｕｅｔｏｏｔｈ送受信器、ジグビー（ＺｉｇＢｅｅ）送受信器、ＡＮＴ送受信器、セルラ・デバイス・ツー・デバイス送受信器、無線ローカル・エリア・リンク送受信器、及び／又は任意の他の短距離無線技術など、を含むことができる。装置１０及び特に短距離送受信器は、装置の近傍、例えば１０メートル以内、にある電子デバイスにデータを送信すること及び／又はそれからデータを受信することができる。Ｗｉ−Ｆｉ又は無線ローカル・エリア・ネットワーキング・モデムを含む装置１０はまた、６ＬｏＷｐａｎ、Ｗｉ−Ｆｉ、低電力Ｗｉ−Ｆｉ、ＷＬＡＮ技術、例えば、ＩＥＥＥ８０２．１１技術、ＩＥＥＥ８０２．１５技術、ＩＥＥＥ８０２．１６技術など、を含む様々な無線ネットワーキング技術によって、電子デバイスにデータを送信すること及び／又は電子デバイスからデータを受信することができる。
【００４７】
装置１０は、加入者識別モジュール（ＳＩＭ：ｓｕｂｓｃｒｉｂｅｒ  ｉｄｅｎｔｉｔｙ  ｍｏｄｕｌｅ）３８、取外し可能ユーザ識別モジュール（Ｒ−ＵＩＭ：ｒｅｍｏｖａｂｌｅ  ｕｓｅｒ  ｉｄｅｎｔｉｔｙ  ｍｏｄｕｌｅ）、ｅＵＩＣＣ、ＵＩＣＣなどのメモリを備えることができ、これらメモリはモバイル加入者に関する情報要素を格納することができる。ＳＩＭに加えて、装置１０は他の取外し可能及び／又は固定メモリを含むことができる。装置１０は揮発性メモリ４０及び／又は不揮発性メモリ４２を含むことができる。例えば、揮発性メモリ４０は、ダイナミック及び／又はスタティックＲＡＭを含むランダム・アクセス・メモリ（ＲＡＭ：Ｒａｎｄｏｍ  Ａｃｃｅｓｓ  Ｍｅｍｏｒｙ）、オン・チップ又はオフ・チップ・キャッシュ・メモリなどを含むことができる。不揮発性メモリ４２は、内蔵型及び／又は取外し可能とすることができ、例えば、読出し専用メモリ、フラッシュ・メモリ、磁気記憶デバイス、例えば、ハード・ディスク、フロッピー・ディスク・ドライブ、磁気テープ、光ディスク・ドライブ及び／又は媒体、不揮発性ランダム・アクセス・メモリ（ＮＶＲＡＭ：ｎｏｎ−ｖｏｌａｔｉｌｅ  ｒａｎｄｏｍ  ａｃｃｅｓｓ  ｍｅｍｏｒｙ）などを含むことができる。揮発性メモリ４０と同様に、不揮発性メモリ４２は、データの一時記憶のためのキャッシュ領域を含むことができる。揮発性及び／又は不揮発性メモリの少なくとも一部分はプロセッサ２０に内蔵させることができる。メモリは、例えば、本明細書で開示するプロセス２００及び／又は任意の他の動作／機能などの動作を実行するために本装置によって使用することができる、１つ又はそれ以上のソフトウェア・プログラム、命令、情報の断片、データなどを格納することができる。メモリは、装置１０を一意的に識別することができる、国際携帯電話機体識別（ＩＭＥＩ：ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードのような識別子を備えることができる。例示的な実施形態において、プロセッサ２０は、メモリ４０及び／又は４２に格納されたコンピュータ・コードを用いて、プロセス２００に関して本明細書で開示する１つ又はそれ以上の態様を制御するように及び／又はもたらすように、構成することができる。
【００４８】
本明細書で開示する実施形態の幾つかは、ソフトウェア、ハードウェア、アプリケーション・ロジック、又は、ソフトウェア、ハードウェア、及びアプリケーション・ロジックの組合せで実装することができる。ソフトウェア、アプリケーション・ロジック、及び／又はハードウェアは、例えば、メモリ４０、制御装置２０、又は電子的構成要素の上に存在することができる。幾つかの例示的な実施形態において、アプリケーション・ロジック、ソフトウェア又は命令セットは、種々の従来型のコンピュータ可読媒体のいずれか１つに保持される。この明細書の文脈において、「コンピュータ可読媒体」は、コンピュータ又は図３に例を示すデータ・プロセッサ回路などの命令実行システム、装置、又はデバイスによって又はそれらに関連して使用するための、命令を含み、格納し、通信し、伝え、又は伝送することができる任意の非一時的媒体とすることができ、コンピュータ可読媒体は、命令実行システム、装置、又はデバイス、例えば、コンピュータによって又はそれらと関連して使用するための命令を含むか又は格納することができる任意の媒体とすることができる非一時的コンピュータ可読記憶媒体を備えることができる。
【００４９】
図４は、幾つかの例示的な実施形態による、例えば基地局１１０Ａ、Ｂ、及び／又はＣにおいて実装することができる無線アクセス・ポイント５００の例示的な実装を示す。無線アクセス・ポイントは、ダウンリンクを介して送信するように構成され、さらにアンテナ（単数又は複数）５２０を介してアップリンクを受信するように構成された１つ又はそれ以上のアンテナ５２０を含むことができる。無線アクセス・ポイントは、さらに、アンテナ（単数又は複数）５２０に結合された複数の無線インタフェース５４０を含むことができる。無線インタフェース５４０は、ＬＴＥ、ＷＬＡＮ、Ｂｌｕｅｔｏｏｔｈ、省電力Ｂｌｕｅｔｏｏｔｈ、ＮＦＣ、無線周波数識別子（ＲＦＩＤ：ｒａｄｉｏ  ｆｒｅｑｕｅｎｃｙ  ｉｄｅｎｔｉｆｉｅｒ）、超広帯域（ＵＷＢ：ｕｌｔｒａｗｉｄｅｂａｎｄ）、ＺｉｇＢｅｅ（登録商標）、ＡＮＴなどのうちの１つ又はそれ以上を含む複数の無線アクセス技術に対応することができる。無線インタフェース５４０は、フィルタ、変換器（例えば、デジタル・アナログ変換器など）、マッパ、高速フーリエ変換（ＦＦＴ：Ｆａｓｔ  Ｆｏｕｒｉｅｒ  Ｔｒａｎｓｆｏｒｍ）モジュールなどの構成要素を、１つ又はそれ以上のダウンリンクを介した送信のためのシンボルを生成するため、及び、シンボルを受信する（例えば、アップリンクを介して）ために、含むことができる。無線アクセス・ポイントはさらに、無線アクセス・ポイント５００を制御するため、及びメモリ５３５内に格納されているプログラム・コードにアクセスし及びそれを実行するための、プロセッサ５３０のような１つ又はそれ以上のプロセッサを含むことができる。幾つかの例示的な実施形態において、メモリ５３５はコードを含み、このコードは少なくとも１つのプロセッサによって実行されると、プロセス２００において、ネットワークに関して本明細書で説明した１つ又はそれ以上の動作を引き起こし、この動作は、例えば、第１サブフレームについて実行される第１の測定及び第２サブフレームについて実行される第２の測定を少なくとも表示する測定構成情報であって、第１サブフレームはマルチキャスト・ブロードキャスト・サブフレームによって伝えられ、第２サブフレームは非マルチキャスト・ブロードキャスト・サブフレームによって伝えられる、測定構成情報を、ユーザ機器によって受信することと、受信された測定構成情報に従って１つ又はそれ以上の測定を実行することと、を含む。
【００５０】
添付の特許請求の範囲、解釈、又は応用を決して限定することなく、本明細書で開示する１つ又はそれ以上の例示的な実施形態の技術的効果は、ＭＢＳＦＮデータ送信が不規則である場合にも、ＭＢＳＦＮカバレッジに関する関連情報を提供する。
【００５１】
本明細書に記載の主題は、所望の構成に応じて、システム、装置、方法、及び／又は物品に具体化することができる。例えば、本明細書で説明する基地局及びユーザ機器（又はその中の１つ若しくはそれ以上の構成要素）及び／又はプロセスは、プログラム・コードを実行するプロセッサ、特定用途向け集積回路（ＡＳＩＣ）、デジタル信号プロセッサ（ＤＳＰ：ｄｉｇｉｔａｌ  ｓｉｇｎａｌ  ｐｒｏｃｅｓｓｏｒ）、組込みプロセッサ、フィールド・プログラマブル・ゲート・アレイ（ＦＰＧＡ）、及び／又はそれらの組合せ、のうちの１つ又はそれ以上を用いて実装することができる。これらの様々な実装は、少なくとも１つのプログラム可能なプロセッサを含むプログラム可能なシステム上で実行可能及び／又は解釈可能な１つ又はそれ以上のコンピュータ・プログラムにおける実装を含み、ここで、プログラム可能プロセッサは専用であっても汎用であってもよく、記憶システム、少なくとも１つの入力デバイス、及び少なくとも１つの出力デバイスに、それらからデータ及び命令を受信し及びそれらにデータ及び命令を送信するように、結合することができる。これらのコンピュータ・プログラム（プログラム、ソフトウェア、ソフトウェア・アプリケーション、アプリケーション、コンポーネント、プログラム・コード、又はコードとしても知られる）は、プログラム可能プロセッサ用の機械命令を含み、高級手続き及び／若しくはオブジェクト指向プログラミング言語において、並びに／又はアセンブリ／機械言語において実装することができる。本明細書で用いる場合、用語「コンピュータ可読媒体」は、任意のコンピュータ・プログラム製品、機械可読媒体、コンピュータ可読記憶媒体、機械命令及び／又はデータをプログラム可能プロセッサに提供するのに使用され、機械命令を受け取る機械可読媒体を含む、装置及び／又はデバイス（例えば、磁気ディスク、光ディスク、メモリ、プログラム可能論理デバイス（ＰＬＤ：Ｐｒｏｇｒａｍｍａｂｌｅ  Ｌｏｇｉｃ  Ｄｅｖｉｃｅ））を指す。同様に、本明細書において、プロセッサ、及びプロセッサに結合されたメモリを含むことができるシステムもまた説明される。メモリは、本明細書で説明した１つ又はそれ以上の動作をプロセッサに実行させる１つ又はそれ以上のプログラムを含むことができる。
【００５２】
上で、幾つかの変形物を詳しく説明したが、他の変更物又は付加物も可能である。具体的には、本明細書において説明したものに加えて、さらに別の特徴及び／又は変形物を提供することができる。さらに、上記の実装は、開示した特徴の様々な組合せ及び副組合せ、並びに／又は上で開示した幾つかのさらに別の特徴の組合せ及び副組合せに向けることができる。他の実施形態が添付の特許請求の範囲に入り得る。
【００５３】
所望であれば、本明細書で説明した異なる機能を、互いに異なる順序で及び／又は同時に実行することができる。さらに、所望であれば、上記の機能の１つ又はそれ以上を随意的なものとすることができ、又は組み合せることができる。幾つかの実施形態の様々な態様が、独立請求項において説明されるが、幾つかの実施形態の他の態様は、請求項において明示的に説明される組合せだけでなく、説明された実施形態及び／又は従属請求項からの特徴と独立請求項の特徴との他の組合せを含む。またここで、上記は例示的な実施形態を説明するが、これらの説明は、限定する意味で考えられるべきではないことに留意されたい。むしろ、添付の特許請求の範囲において定められる幾つかの実施形態の範囲から逸脱せずに生成することができる幾つかの変形物及び変更物が存在する。他の実施形態が添付の特許請求の範囲に入り得る。用語「〜に基づいて」は、「少なくとも、〜に基づいて」を含む。語句「〜のような（ｓｕｃｈ  ａｓ）」の使用は、特に別に指示されない限り、「例えば〜のような（ｓｕｃｈ  ａｓ  ｆｏｒ  ｅｘａｍｐｌｅ）」を意味する。
【図１】
0006461198.tif 000002
【図２】
0006461198.tif 000003
【図３】
0006461198.tif 000004
【図４】
0006461198.tif 000005